(57)【要約】【課題】従来の調理実行中の調理プログラム修正方法では、調理実行を途中停止して、加熱設定や時間などの調理プログラムを修正した際に食材を入れ替えたか否を判断できず、実際の調理に基づくレシピを生成できない。【解決手段】携帯端末１０１０２の調理データ判定部１０００７は、調理家電１０１０１の調理データ記録部１０００３から調理設定情報と、調理実行時の変更情報及びセンサ検知情報を取得すると、調理データ判定部１０００７はセンサ検知情報から、調理の変更前後の食材が同じか否かを判定し、調理の変更前後の食材が同じ場合、レシピ生成部１０００８は、調理データ記録部１０００３から取得した調理設定情報に、変更情報を反映した調理設定情報を生成し、これを備えるレシピを生成する。【選択図】図５
2014114967.tif 000002
【特許請求の範囲】
【請求項１】
設定された調理設定情報に基づき食材を調理する調理制御部と、
調理実行中の庫内の食材の変化検知するセンサーと、
調理設定情報、調理実行中に変更された変更調理情報、前記センサーが検知したセンサー検知情報とを記録を記録する調理データ記録部と、
前記調理データ記録部に記録された情報を取得し、調理実行中の変更情報があった場合には、センサー検知情報から同じ食材での一連の調理か否かを判断する調理データ判定部と、
同じ食材での一連の調理と判断した場合には、変更情報を反映したレシピを生成するレシピ生成部と、
生成したレシピを記録するレシピ記録部と、
を備えることを特徴とするレシピ生成システム。
【請求項２】
請求項１に記載のレシピ生成システムであって、
前記調理データ判定部は、一連の調理か否かの判断に、さらに、調理が途中停止された時間を用いることを特徴とするレシピ生成システム。
【請求項３】
請求項１に記載のレシピ生成システムであって、
前記センサーは、庫内の食材の重量変化を検知する重量検知センサーであり、
前記調理データ判定部は、調理設定の変更前後に重量検知センサーの検知した値の差が一定値以下の場合に同じ食材での一連の調理であると判断することを特徴とするレシピ生成システム。
【請求項４】
請求項１に記載のレシピ生成システムであって、
前記センサーは、庫内の食材の温度変化を検知する温度検知センサーであり、
前記調理データ判定部は、調理設定の変更前後に温度検知センサーの検知した値の差が一定値以下の場合に同じ食材での一連の調理であると判断することを特徴とするレシピ生成システム。
【請求項５】
請求項１に記載のレシピ生成システムであって、
前記センサーは、光検知センサーであり、
前記調理データ判定部は、調理設定の変更前後に光検知センサーの検知した値の差が一定値以下の場合に同じ食材での一連の調理であると判断することを特徴とするレシピ生成システム。
【請求項６】
請求項１に記載のレシピ生成システムであって、
前記センサーは、庫内の食材の撮影するカメラであり、
前記調理データ判定部は、調理設定の変更前後にカメラの認識した食材の画像解析結果が同じ場合に同じ食材での一連の調理であると判断することを特徴とするレシピ生成システム。
【請求項７】
請求項１に記載のレシピ生成システムであって、
前記センサーは、庫内の食材の位置や範囲を検知する赤外線センサーであり、
前記調理データ判定部は、調理設定の変更前後に赤外線センサーの検知した値の差が一定値以下の場合に同じ食材での一連の調理であると判断することを特徴とするレシピ生成システム。
【請求項８】
請求項１〜７のいずれか１項に記載のレシピ生成システムは調理家電と携帯端末とサーバとから構成され、
前記調理家電は、前記調理制御部と前記センサーと前記調理データ記録部とを備え、
前記携帯端末は、前記調理データ判定部と前記レシピ生成部とを備え、
前記サーバは、前記レシピ記録部を備えることを特徴とするレシピ生成システム。
【請求項９】
レシピの生成を行うレシピ生成装置が行うレシピ生成方法であって、
調理設定情報、調理実行中に変更された変更調理情報及び調理実行中の庫内の食材の変化の有無を示す情報を取得するステップと、
調理実行中の変更情報があった場合には、センサー検知情報から同じ食材での一連の調理か否かを判断するステップと、
同じ食材での一連の調理と判断した場合には、変更情報を反映したレシピを生成するステップと、
を行うレシピ生成方法。
【発明の詳細な説明】
【技術分野】
【０００１】
本発明は、調理家電を用いた料理のレシピ作成に関するものである。
【背景技術】
【０００２】
近年、予め用意された加熱温度や時間などの調理プログラムに従い調理を実行する調理家電が普及している。
【０００３】
例えば、近年では、スマートフォンなどの携帯端末にてサーバから調理プログラムを含むレシピを検索し、スマートフォンから、調理家電に対して調理プログラムを送信し、調理を実行することができる調理家電が発売されている。
【０００４】
このような、調理プログラムを含むレシピを充実させるためには、サービス提供側が予め作成したレシピだけでなく、お客様や料理研究家が簡単に、実際の料理シーンのなかで、調理家電を使いこなした調理プログラムを含むレシピを作成できること求められる。
【０００５】
調理家電での調理実行中に、調理者が調理プログラムを修正、保存する従来の技術として、電子レンジでの調理実行中に調理プログラムの修正及び、電子レンジ本体へ修正した調理プログラムを記録することで、次回の調理時に、修正した調理プログラムで調理することができるものがある（例えば、特許文献１参照）。
【先行技術文献】
【特許文献】
【０００６】
【特許文献１】特開平１−１０７０２２号公報
【発明の概要】
【発明が解決しようとする課題】
【０００７】
しかしながら、上記従来の構成では、調理実行を途中停止して、加熱設定変更、時間追加をした際に、食材を入れ替えたか否を判断する仕組みが無いため、実際の調理に用いた一連の加熱設定、調理時間を判断できず、実際の調理に基づくレシピを作成できないという課題を有していた。
【０００８】
本発明は、前記従来の課題を解決するもので、センサー検知情報から実際の調理状況を判断することで、実際の調理に基づくレシピを作成するレシピ自動生成方法、及びシステムを提供することを目的とする。
【課題を解決するための手段】
【０００９】
前記従来の課題を解決するために、本発明のレシピ自動生成システムは、設定された調理設定情報に基づき食材を調理する調理制御部と、調理実行中の庫内の食材の変化検知するセンサーと、調理設定情報、調理実行中に変更された変更調理情報、前記センサーが検知したセンサー検知情報とを記録を記録する調理データ記録部と、前記調理データ記録部に記録された情報を取得し、調理実行中の変更情報があった場合には、センサー検知情報から同じ食材での一連の調理か否かを判断する調理データ判定部と、同じ食材での一連の調理と判断した場合には、変更情報を反映したレシピを自動生成するレシピ生成部と生成したレシピを記録するレシピ記録部とを備えることとしている。
【００１０】
これにより、調理実行を途中停止して、加熱設定変更、時間追加をした際に、食材を入れ替えたか否を判断でき、実際の調理で用いた一連の加熱設定、調理時間に基づくレシピ
を作成することができる。
【発明の効果】
【００１１】
以上のように、本発明によれば、センサー検知情報から、実際の調理状況を判断することで、調理実行を途中停止して、加熱設定変更、時間追加をした際に、食材を入れ替えたか否を判断でき、実際の調理で用いた一連の加熱設定、調理時間に基づくレシピを作成することができる。
【図面の簡単な説明】
【００１２】
【図１】本発明の実施の形態１におけるレシピ自動生成方法、及びシステムの構成の一例を示す図
【図２】本発明の実施の形態１におけるレシピ自動生成方法、及びシステムが備える調理データ記録部が記録するデータ構成の一例を示す図
【図３】本発明の実施の形態１におけるレシピ自動生成システムの携帯端末上の表示の一例を示す図
【図４】本発明の実施の形態１における調理設定から調理実行及び調理に伴う情報記録までの処理の一例を示すフロー図
【図５】本発明の実施の形態１におけるレシピの作成、登録に関する処理の一例を示すフロー図
【図６】本発明の実施の形態１における登録済みレシピを備える調整設定情報を用いた調理設定から調理実行までの処理の一例を示すフロー図
【図７】本発明の実施の形態２における登録済みレシピを編集、登録する処理の一例を示すフロー図
【図８】本発明の実施の形態２におけるレシピ自動生成方法、及びシステムの構成の一例を示す図
【図９】本発明の実施の形態３におけるレシピ自動生成方法、及びシステムの構成の一例を示す図
【発明を実施するための形態】
【００１３】
第１の発明は、レシピ生成システムに関するもので、設定された調理設定情報に基づき食材を調理する調理制御部と、調理実行中の庫内の食材の変化検知するセンサーと、調理設定情報、調理実行中に変更された変更調理情報、センサーが検知したセンサー検知情報とを記録を記録する調理データ記録部と、調理データ記録部に記録された情報を取得し、調理実行中の変更情報があった場合には、センサー検知情報から同じ食材での一連の調理か否かを判断する調理データ判定部と、同じ食材での一連の調理と判断した場合には、変更情報を反映したレシピを生成するレシピ生成部と、生成したレシピを記録するレシピ記録部とを備えるものである。
【００１４】
第２の発明は、特に、第１の発明において、調理データ判定部は、一連の調理か否かの判断に、さらに調理が途中停止された時間を用いるものである。
【００１５】
第３の発明は、特に、第１の発明において、センサーは、庫内の食材の重量変化を検知する重量検知センサーであり、調理データ判定部は、調理設定の変更前後に重量検知センサーの検知した値の差が一定値以下の場合に同じ食材での一連の調理であると判断するものである。
【００１６】
第４の発明は、特に、第１の発明において、センサーは、庫内の食材の温度変化を検知する温度検知センサーであり、調理データ判定部は、調理設定の変更前後に温度検知センサーの検知した値の差が一定値以下の場合に同じ食材での一連の調理であると判断するものである。
【００１７】
第５の発明は、特に、第１の発明において、センサーは、光検知センサーであり、調理データ判定部は、調理設定の変更前後に光検知センサーの検知した値の差が一定値以下の場合に同じ食材での一連の調理であると判断するものである。
【００１８】
第６の発明は、特に、第１の発明において、センサーは、庫内の食材の撮影するカメラであり、調理データ判定部は、調理設定の変更前後にカメラの認識した食材の画像解析結果が同じ場合に同じ食材での一連の調理であると判断するものである。
【００１９】
第７の発明は、特に、第１の発明において、センサーは、庫内の食材の位置や範囲を検知する赤外線センサーであり、調理データ判定部は、調理設定の変更前後に赤外線センサーの検知した値の差が一定値以下の場合に同じ食材での一連の調理であると判断するものである。
【００２０】
第８の発明は、特に、第１から第７のいずれかの発明におけるレシピ生成システムが調理家電と携帯端末とサーバとから構成され、調理家電は、調理制御部とセンサーと調理データ記録部とを備え、携帯端末は、調理データ判定部とレシピ生成部とを備え、サーバは、レシピ記録部を備えるものである。
【００２１】
第９の発明は、レシピ生成方法に関するもので、調理設定情報、調理実行中に変更された変更調理情報及び調理実行中の庫内の食材の変化の有無を示す情報を取得するステップと、調理実行中の変更情報があった場合には、センサー検知情報から同じ食材での一連の調理か否かを判断するステップと、同じ食材での一連の調理と判断した場合には、変更情報を反映したレシピを生成するステップとを行うものである。
【００２２】
以下、本発明の実施の形態について、図面を参照しながら説明する。なお、説明に使用する図面は、本発明が採用しうる技術的特徴を説明するために用いられるものであり、記載されている装置の構成、及び処理等は、単なる一例を示したにすぎない。したがって、限定することを意図する記載が特段ない限り、装置の構成及び処理は、記載された内容に限定されるものではなく、この実施の形態によって本発明が限定されるものではない。
【００２３】
（実施の形態１）
図１は、本発明の実施の形態におけるレシピ自動生成方法、及びシステムの構成の一例を示す図を示すものである。
【００２４】
本実施の形態のレシピ自動生成システムは、調理家電１０１０１、携帯端末１０１０２、サーバ１０１０３から構成される。
【００２５】
調理家電１０１０１と携帯端末１０１０２は、通信部１０００５と通信部１００１１を用いて互いに通信する。通信手段としては、ＮＦＣやＷｉ−Ｆｉ（登録商標）、Ｂｌｕｅｔｏｏｔｈ（登録商標）等にて実施可能だがこれに限定しない。
【００２６】
携帯端末１０１０２とサーバ１０１０３、通信部１００１２と通信部１００１５を用いて互いに通信する。通信手段としては、Ｗｉ−Ｆｉ（登録商標）や３Ｇ回線等にて実施可能だがこれに限定しない。
【００２７】
本発明の実施の形態における「レシピ」は、ユーザが料理する際に必要な材料、作り方、写真などの情報と、調理家電に調理指示を行うために必要な  調理設定情報（調理プログラム）から構成される。
【００２８】
調理設定情報は、一連の調理方法（スチーム、レンジ、グリル、炊飯、冷却等）、加熱／冷却設定（Ｗ、温度等）、調理時間など、調理家電に調理を指示するための情報である。
【００２９】
調理家電１０１０１は、オーブンレンジ、ＩＨクッキングヒーター、炊飯器、冷蔵庫など、調理プログラムにて指示された一連の調理方法（スチーム、レンジ、グリル、炊飯、冷却等）、加熱／冷却設定（Ｗ、温度等）、調理時間に従い、調理を実行する調理家電である。
【００３０】
調理家電１０１０１は、設定された調理設定情報に基づき食材を調理する調理制御部１０００１と、調理実行中の庫内の食材の変化検知するセンサー１０００２と、調理設定情報、調理実行中に変更された変更調理情報、前記センサーが検知したセンサー検知情報とを記録を記録する調理データ記録部１０００３と、ユーザからの調理設定やスタート指示を受け付ける入出力部１０００６と、調理制御部からの指示を受けて調理を実行する調理部１０００４と携帯端末１０１０２と通信する通信部１０００５から構成される。
【００３１】
ここで、センサー１０００２は、重量センサー、温度センサー、光検知センサー、カメラ、赤外線センサーなど、食材の変化を検知するセンサーである。食材の変化を検知可能であれば、これらに限定しない。
【００３２】
携帯端末１０１０２は、スマートフォン、タブレット、ポータブルＰＣ、携帯電話などユーザ入出力と通信機能とを持つ端末である。
【００３３】
携帯端末１０１０２は、前記調理データ記録部に記録された情報を取得し、調理実行中の変更情報があった場合には、センサー検知情報から同じ食材での一連の調理か否かを判断する調理データ判定部１０００７と、同じ食材での一連の調理と判断した場合には、変更情報を反映したレシピを自動生成するレシピ生成部１０００８と、液晶タッチパネル等のユーザ入出力部１０００９と、ユーザからの指示に従い、調理家電に調理指示を行う調理指示部１００１０と、調理家電１０１０１と通信する通信部１００１１と、サーバ１０１０３と通信する通信部１００１２とから構成される。
【００３４】
サーバ１０１０３は、生成したレシピを記録するレシピデータ記録部１００１３と、レシピデータ記録部１００１３に記録されたレシピを検索するレシピ検索部１００１４と、調理家電１０１０１と通信する通信部１００１５と、から構成される。
【００３５】
調理データ判定部１０００７が、同じ食材での一連の調理であると判断する方法の例を説明する。
【００３６】
センサー１０００２が、庫内の食材の重量変化を検知する重量検知センサーである場合、調理データ判定部１０００７は、調理設定の変更前後に重量検知センサーの検知した値の差が一定値以下の場合に同じ食材での一連の調理であると判断する。
【００３７】
センサー１０００２が、庫内の食材の温度変化を検知する温度検知センサーである場合、前記調理データ判定部は、調理設定の変更前後に温度検知センサーの検知した値の差が一定値以下の場合に同じ食材での一連の調理であると判断する。
【００３８】
センサー１０００２が、光検知センサーである場合、調理データ判定部１０００７は、調理設定の変更前後に光検知センサーの検知した値の差が一定値以下の場合に同じ食材での一連の調理であると判断する。
【００３９】
センサー１０００２が、庫内の食材の撮影するカメラである場合、調理データ判定部１０００７は、調理設定の変更前後にカメラの認識した食材の画像解析結果が同じ場合に同じ食材での一連の調理であると判断する。
【００４０】
センサー１０００２が、庫内の食材の位置や範囲を検知する赤外線センサーである場合、調理データ判定部１０００７は、調理設定の変更前後に赤外線センサーの検知した値の差が一定値以下の場合に同じ食材での一連の調理であると判断する。
【００４１】
図２は、調理データ記録部１０００３が記録するデータ構成の一例である。
【００４２】
以上の構成を用いて、本実施の形態のレシピ自動生成システムは、調理実行時において、調理家電１０１０１は、ユーザの携帯端末１０１０２が備える入出力部１０００６への入力に基づく携帯端末１０１０２からの調理指示、または、ユーザの調理家電１０１０１が備える入出力部１０００６への入力に基づく調理家電に従い、調理を実行する。
【００４３】
調理実行時に、調理実行を途中停止して、加熱設定変更、時間追加などの調理指示の変更をした場合には、調理データ記録部１０００３に変更調理情報を記録する。
【００４４】
レシピ作成時において、携帯端末１０１０２の調理データ判定部１０００７は、センサー検知情報から同じ食材での一連の調理か否かを判断し、自動生成するレシピ生成部１０００８は、同じ食材での一連の調理と判断した場合には、変更情報を反映したレシピを自動生成する。
【００４５】
ここで、レシピ生成部１０００８は、ユーザに対して、調理実行前に設定した調理設定データに基づく調理設定を含むレシピと、変更情報を反映して生成したレシピの両方を候補として生成し、ユーザに候補から選択させるとしても実施可能である。
【００４６】
図３は、レシピ生成部１０００８が生成したレシピの候補をユーザ入出力部１０００９に提示している画面表示の一例である。
【００４７】
ユーザは提示された調理設定の候補から、チェックボックスを選択して、実際の調理を反映したレシピを選択し、確定することができる。
【００４８】
以上述べた構成を持つレシピ自動生成方法及びシステムの特徴的な動作を、以下にフローチャートを用いて説明する。
【００４９】
図４は、調理設定から調理実行及び調理に伴う情報記録までの処理の一例を示すフローチャートである。
【００５０】
携帯端末１０１０２の調理指示部１００１０は、ユーザ入出力部１０００９から指示された調理設定情報を用いて、調理家電１０１０１の調理制御部１０００１に調理指示を行う（Ｓ６０００１）。
【００５１】
調理家電１０１０１の調理制御部１０００１は、設定された調理設定情報に基づき、調理部１０００４に調理指示を行う（Ｓ６０００２）。
【００５２】
調理家電１０１０１の入出力部１０００６は、調理実行中及び調理終了後一定時間内に、ユーザからの調理設定を受け付け調理制御部１０００１に調理の変更指示を行う（Ｓ６０００３）。
【００５３】
ここで、調理終了後一定時間は、調理家電１０１０１が調理終了後に、終了した調理設定に対して調理時間の追加を受け付ける時間としてもよい。この場合、例えば調理家電本体の入出力部１０００６  が備える液晶画面に「料理が終了しました。時間を追加する場合には、調理家電本体の上△ボタンで時間を追加してください」と表示し、入出力部１０００６が備える上△ボタンされている期間が、調理終了後一定時間に相当する。
【００５４】
あるいはまた、調理終了後一定時間は、調理家電１０１０１が調理終了後に、ユーザが同じ加熱設定で追加の時間分を設定した場合に、調理時間の追加として受け付ける時間としてもよい。
【００５５】
調理終了後一定時間は、調理家電１０１０１が予め定めた時間であってもよいし、本発明のレシピ生成システムが設定する可変の値であってもよい。
【００５６】
調理家電１０１０１の調理制御部１０００１は、Ｓ６０００３の変更指示された変更調理情報に基づき、調理部１０００４に調理指示を行う（Ｓ６０００４）。
【００５７】
調理家電１０１０１のセンサー１０００２は、調理実行中及び調理終了後一定時間内において、庫内における、同じ食材での一連の調理であるか否かを判断するための値（重量、温度、光検知、画像、赤外線）を検知する（Ｓ６０００５）。
【００５８】
ここで、調理家電１０１０１のセンサー１０００２による、上記値の検知は、調理データ判定部１０００７が同じ食材での一連の調理であるか否かを判断可能となる２つ以上のタイミングで実施すればよい。例えば一例として以下のタイミングで検知を実施する。
【００５９】
（１）調理実行中及び調理終了後一定時間内において、上記値（重量、温度、光検知、画像、赤外線）を連続的に検知し続ける。
【００６０】
（２）調理実行中及び調理終了後一定時間内において、調理家電１０１０１のドアの開閉が合った場合に、ドアを開けた時点及びドアを閉めた時点の値を検知する。
【００６１】
（３）調理実行中及び調理終了後一定時間内において、調理の停止・再開があった場合に、調理の停止時点と再開時点の値を検知する。
【００６２】
調理家電１０１０１の調理データ記録部１０００３は、設定された調理設定情報と、調理実行時及び調理終了後一定時間内の変更調理情報、及び調理家電１０１０１のセンサー１０００２が、調理実行中及び調理終了後一定時間内において検知した庫内における同じ食材での一連の調理であるか否かを判断するための値値（重量、温度、光検知、画像、赤外線）を記録し（Ｓ６０００６）、処理を終了する。
【００６３】
図５は、調理データ記録部１０００３に記録した情報を用いて、レシピを作成、登録する処理の一例を示すフローチャートである。
【００６４】
携帯端末１０１０２の調理データ判定部１０００７は、調理家電１０１０１の調理データ記録部１０００３から調理設定情報と、調理実行時の変更情報及びセンサ検知情報を取得する（Ｓ７０００１）。
【００６５】
調理データ判定部１０００７は、調理実行中に変更情報が記録されているか否かを判定する（Ｓ７０００２）。
【００６６】
調理データ判定部１０００７の変更情報有無判定（Ｓ７０００２）の結果、調理実行中
に変更情報が記録されている場合、携帯端末１０１０２の調理データ判定部１０００７は、センサ検知情報から、調理の変更前後の食材が同じか否かを判定する（Ｓ７０００３）。
【００６７】
調理の変更前後の食材が同じか否かを判定した結果（Ｓ７０００４）、調理の変更前後の食材が同じ場合、携帯端末１０１０２のレシピ生成部１０００８は、調理データ記録部１０００３から取得した調理設定情報に、変更情報を反映した調理設定情報を生成し、これを備えるレシピを生成する（Ｓ７０００５）。
【００６８】
レシピデータ記録部１００１３は生成したレシピを記録し（Ｓ７０００６）、処理を終了する。
【００６９】
上記、調理データ判定部１０００７の変更情報有無判定（Ｓ７０００２）結果、調理実行中に変更情報が記録されてない場合、携帯端末１０１０２のレシピ生成部１０００８は、調理データ記録部１０００３から取得した調理設定情報を備えるレシピを生成し（Ｓ７０００７）、処理を終了する。
【００７０】
上記、調理の変更前後の食材が同じか否かを判定（Ｓ７０００４）した結果、調理の変更前後の食材が同じ場合、携帯端末１０１０２のレシピ生成部１０００８は、調理データ記録部１０００３から取得した調理設定情報を備えるレシピを生成し（Ｓ７０００７）、処理を終了する。
【００７１】
ここで、レシピ作成及び登録処理の開始は、ユーザがアイコンの操作等で、図３に示すレシピ作成画面起動することで開始し、ユーザが形態端末を調理家電にＮＦＣで近接無線通信を行った時に、調理家電１０１０１の調理データ記録部１０００３から、調理設定情報と、調理実行時の変更情報及びセンサ検知情報を取得するとしても良い。
【００７２】
また、あるいは、レシピ作成及び登録処理の開始は、ユーザが形態端末を調理家電にＮＦＣで近接無線通信を行った時とし、図３に示すレシピ生成画面を表示して、調理家電１０１０１の調理データ記録部１０００３から、調理設定情報と、調理実行時の変更情報及びセンサ検知情報を取得することとしても良い。
【００７３】
図６は、登録済みレシピが備える調理設定情報を用いた調理設定から調理実行及び調理に伴う情報記録までの処理の一例を示すフローチャートである。
【００７４】
携帯端末１０１０２の調理指示部１００１０は、レシピデータ記録部１００１３から検索したレシピが備える調理設定情報を用いて、調理家電１０１０１の調理制御部１０００１に調理指示を行う（Ｓ８０００１）。
【００７５】
調理家電１０１０１の調理制御部１０００１は、設定された調理設定情報に基づき、調理部１０００４に調理指示を行う（Ｓ８０００２）。
【００７６】
調理家電１０１０１の入出力部１０００６は、調理実行中に、ユーザからの調理設定を受け付け調理制御部１０００１に調理の変更指示を行う（Ｓ８０００３）。
【００７７】
調理家電１０１０１の調理制御部１０００１は、設定された変更調理情報に基づき、調理部１０００４に調理指示を行う（Ｓ８０００４）。
【００７８】
調理家電１０１０１のセンサー１０００２は、調理実行中及び調理終了後一定時間内において、庫内における、同じ食材での一連の調理であるか否かを判断するための値（重量
、温度、光検知、画像、赤外線）を検知する（Ｓ８０００５）。
【００７９】
調理家電１０１０１の調理データ記録部１０００３は、設定された調理設定情報と、調理実行時の変更調理情報及びセンサ検知情報を記録し（Ｓ８０００６）、処理を終了する。
【００８０】
図７は、調理データ記録部１０００３に記録した情報を用いて、登録済みレシピを編集、登録する処理の一例を示すフローチャートである。
【００８１】
携帯端末１０１０２の調理データ判定部１０００７は、調理家電１０１０１の調理データ記録部１０００３から調理設定情報と、調理実行時の変更情報及びセンサ検知情報を取得する（Ｓ９０００１）。
【００８２】
調理データ判定部１０００７は、調理実行中に変更情報が記録されているか否かを判定する（Ｓ９０００２）。
【００８３】
調理データ判定部１０００７の変更情報有無判定（Ｓ９０００２）の結果、調理実行中に変更情報が記録されている場合、携帯端末１０１０２の調理データ判定部１０００７は、センサ検知情報から、調理の変更前後の食材が同じか否かを判定する（Ｓ９０００３）。
【００８４】
調理の変更前後の食材が同じか否かを判定した結果（Ｓ９０００４）、携帯端末１０１０２のレシピ生成部１０００８は、レシピデータ記録部１００１３に記録しているレシピが備える料理設定情報に対して、変更情報を反映した調理設定情報を反映し、レシピを編集する（Ｓ９０００５）。
【００８５】
レシピデータ記録部１００１３は生成したレシピを記録し（Ｓ９０００６）処理を終了する。
【００８６】
上記、調理データ判定部１０００７の変更情報有無判定（Ｓ９０００２）の結果、調理実行中に変更情報が記録されてない場合、処理を終了する。
【００８７】
上記、調理の変更前後の食材が同じか否かを判定（Ｓ９０００４）した結果、調理の変更前後の食材が同じ場合、処理を終了する。
【００８８】
以上、本実施の形態によって、センサー検知情報から、実際の調理状況を判断することで、実際の調理で用いた一連の加熱設定、調理時間に基づくレシピを作成することができる。
【００８９】
（実施の形態２）
図８は、第２の本発明の実施の形態におけるレシピ自動生成方法、及びシステムの構成の一例を示す図を示すものである。図８において、図１と同じ番号の要素は図１と同じであるため、同符号を付し、説明は省略する。
【００９０】
本実施の形態のレシピ自動生成システムは、調理家電１０１０１、携帯端末４０１０２、サーバ１０１０３から構成される。
【００９１】
携帯端末４０１０２は、調理データ判定部１０００７と、レシピ生成部１０００８と、ユーザ入出力部１０００９と、調理指示部１００１０と、通信部１００１１と、通信部１００１２、に加え、撮影部４００１６と画像解析部４００１７を備える。
【００９２】
撮影部４００１６は、ユーザ入出力部１０００９からの入力を受けて、携帯端末４０１０２のカメラに写る画像を撮影する。
【００９３】
画像解析部４００１７は、撮影部４００１６が撮影した画像を解析し、撮影物が料理であるか否かを判定する。
【００９４】
レシピ生成部１０００８は、撮影部４００１６にて写真を撮影した際に、その画像が料理である場合に、ユーザが料理のレシピを作成したいとの意図を判断し、図３に示すレシピ生成画面３０００１を携帯端末上に表示する。
【００９５】
ユーザが料理のレシピを作成したいとの意図の判断は、レシピ生成部１０００８が、撮影部４００１６にて撮影した写真の画像が料理である場合にユーザに問い合わせて判断してもよい。この場合、具体的には、レシピ生成部１０００８が、撮影部４００１６にて撮影した写真の画像が料理である場合に、「レシピ作成しますか？」「料理記録しますか？」との問い合わせを画面に表示し、ユーザが「はい」を選択したときに、ユーザが料理のレシピを作成したいと判断する。
【００９６】
あるいは、レシピ生成部１０００８が、撮影部４００１６にて撮影した写真の画像が料理である場合に、調理実行から一定時間内の場合に、ユーザが料理のレシピを作成したいと判断してもよい。ここで一定時間とは、レシピを作成したいと想定できる調理終了後の経過時間であり、例えば調理終了から食事終了までの２時間以内として設定されるものとする。
【００９７】
レシピ生成部１０００８は、自動的に、レシピ生成画面３０００１の撮影情報３０１０１の領域に、撮影した写真を挿入し、続けて、ユーザが形態端末を調理家電にＮＦＣで近接無線通信を行った時に、実施の形態１にて説明した方法で、調理設定情報を備えるレシピを生成する。
【００９８】
以上、本実施の形態により、レシピ自動生成方法及びシステムは、携帯端末上のカメラで料理を撮影するユーザ動作から、レシピを作成したい意図を判断し、写真付かつ、実際の調理で用いた一連の加熱設定、調理時間に基づくレシピを作成することができる。
【００９９】
（実施の形態３）
図９は、第３の本発明の実施の形態におけるレシピ自動生成方法、及びシステムの構成の一例を示す図を示すものである。図９において、図１と同じ番号の要素は図１と同じであるため、同符号を付し、説明は省略する。
【０１００】
本実施の形態のレシピ自動生成システムは、調理家電５０１０１から構成される。
【０１０１】
調理家電５０１０１は、調理制御部１０００１と、センサー１０００２と、調理データ記録部１０００３と、入出力部１０００６と、調理部１０００４と、調理データ判定部１０００７と、レシピ生成部１０００８と、レシピデータ記録部１００１３とレシピ検索部１００１４から構成される。
【０１０２】
以上、本実施の形態により、レシピ自動生成方法及びシステムは、携帯端末やサーバとの接続なしに、調理家電５０１０１単体で、センサー検知情報から、実際の調理状況を判断することで、実際の調理で用いた一連の加熱設定、調理時間に基づくレシピを作成することができる。
【産業上の利用可能性】
【０１０３】
以上のように、本発明にかかるレシピ自動生成方法、及びシステムは、センサー検知情報から実際の調理状況を判断することで、実際の調理に基づくレシピを作成することができる。
【符号の説明】
【０１０４】
１０１０１、５０１０１  調理家電
１０１０２、４０１０２  携帯端末
１０１０３  サーバ
１０００４  調理部
１０００５  通信部
１０００６  入出力部
１０００７  調理データ判定部
１０００８  レシピ生成部
１０００９  ユーザ入出力部
１００１０  調理指示部
１００１１  通信部
１００１２  通信部
１００１３  レシピデータ記録部
１００１４  レシピ検索部
１００１５  通信部
【図１】
2014114967.tif 000003
【図２】
2014114967.tif 000004
【図３】
2014114967.tif 000005
【図４】
2014114967.tif 000006
【図５】
2014114967.tif 000007
【図６】
2014114967.tif 000008
【図７】
2014114967.tif 000009
【図８】
2014114967.tif 000010
【図９】
2014114967.tif 000011